(57)【特許請求の範囲】
【請求項１】
多芯アダプタに列状となって形成された複数の差込口のそれぞれに差し込まれるアダプタ結合部が一端側に形成されると共に、プラグが差し込まれるプラグ結合部が他端側に形成された光固定減衰器において、前記プラグ結合部の外殻が略四角筒断面のケーシングによって形成され、このケーシングの両面に長手方向に沿って形成された、アダプタ結合部及びプラグの各ガイド突条が挿入可能な長溝、または当該長溝と全面開口部からなる逃げ部が設けられていることを特徴とする光固定減衰器。
【請求項２】
前記逃げ部を、ケーシング両面における一の面が全面開口部となっており、一の面との対向面における略中央部に長手方向に沿った長溝が形成されると共に、該長溝の両側に２枚一対の案内板を設けることによって形成したことを特徴とする請求項１記載の光固定減衰器。
【請求項３】
前記逃げ部を、ケーシング両面における一の面の片側に長手方向に沿った長溝が形成され、一の面との対向面の反対側に長手方向に沿った長溝が形成され、各長溝の片側に互い違いに２枚一対の案内板を設けることによって形成したことを特徴とする請求項１記載の光固定減衰器。
【請求項４】
前記案内板は、アダプタ結合部の上面に形成されているガイド突条及びプラグの上面に形成されているガイド突条の高さよりも幾分大きな厚さとなっていることを特徴とする請求項２または３に記載の光固定減衰器。
【発明の詳細な説明】
【０００１】
【発明の属する技術分野】
本発明は、アダプタ及びプラグとの間に配置される光固定減衰器に関する。
【０００２】
【従来の技術】
従来の光固定減衰器１００は図９に示すように、一端側のアダプタ結合部１１０と他端側のプラグ結合部１２０とが一直線状に連設された形状となっている。アダプタ結合部１１０は、図１０（ａ）に示すアダプタ２００に差し込まれる。
【０００３】
プラグ結合部１２０は図示を省略したプラグが差し込まれる。このため、プラグ結合部１２０はケーシング１２１を有しており、このケーシング１２１の内部がプラグの挿入口１２２となっている。ケーシング１２１は、断面が略四角筒形状となるように成形されている。
【０００４】
図１０は、光固定減衰器１００が接続されるアダプタ２００を示している。
このアダプタ２００は、光固定減衰器１００が複数本（８本）装着される多芯アダプタであり、複数の差込口２１０が一列となって配置されている。この場合、差込口２１０は、隣接している２つが一組となっており、組となっている２つの差込口２１０は相互に連通状態となっている。
【０００５】
このようなアダプタ２００の差込口２１０に対して、光固定減衰器１００のアダプタ結合部１１０を差し込むことにより、アダプタ２００のフェルール挿入孔２２０と光固定減衰器１のフェルール挿入孔１２５とが直線上で一致するようになる。
【０００６】
【発明が解決しようとする課題】
しかしながら、図９に示す従来の光固定減衰器１００を図１０（ａ）に示す多芯アダプタ２００に接続する場合、組となっている差込口２１０におけるフェルール挿入孔２２０の間隔ｄに対し、これらの差込口に差し込まれる光固定減衰器１００におけるフェルール挿入孔１２５の間隔Ｄが大きい（ｄ＜Ｄ）ことから、隣接するプラグ結合部１２０のケーシング１２１がぶつかり合う。このため、組となっている差込口２１０に対しては、２本の光固定減衰器１００を装着することができない問題を有している。
【０００７】
本発明はこのような従来の問題点を考慮してなされたものであり、多芯アダプタの全ての差込口に対して装着することが可能な構造の光固定減衰器を提供することを目的とする。
【０００８】
【課題を解決するための手段】
上記目的を達成するため、請求項１の発明の光固定減衰器は、多芯アダプタに列状となって形成された複数の差込口のそれぞれに差し込まれるアダプタ結合部が一端側に形成されると共に、プラグが差し込まれるプラグ結合部が他端側に形成された光固定減衰器において、前記プラグ結合部の外殻が略四角筒断面のケーシングによって形成され、このケーシングの両面に長手方向に沿って形成された、アダプタ結合部及びプラグの各ガイド突条が挿入可能な長溝、または当該長溝と全面開口部からなる逃げ部が設けられていることを特徴とする。
【０００９】
この発明の光固定減衰器では、プラグ結合部のケーシングの両面に、アダプタ結合部及びプラグ上面に形成されているガイド突条の逃げ部を設けたので、隣接してアダプタに取り付けられる光固定減衰器のアダプタ結合部の障害となることがない。これにより、多芯アダプタの全ての差込口に対して、光固定減衰器を装着することができる。光固定減衰器におけるプラグ結合部に対するプラグの差込みも同様である。
【００１０】
請求項２の発明は、請求項１記載の光固定減衰器であって、前記逃げ部を、ケーシング両面における一の面が全面開口部となっており、一の面との対向面における略中央部に長手方向に沿った長溝が形成されると共に、該長溝の両側に案内板が設けられていることを特徴とする。
【００１１】
この発明の光固定減衰器では、プラグ結合部のケーシングにおける一つの面を全面開口部とし、他方の面に長溝を形成することによって、請求項１記載の効果に加えて、ケーシングの厚み減少と軽量化が図れる。
【００１２】
請求項３の発明は、請求項１記載の光固定減衰器であって、前記逃げ部を、ケーシング両面における一の面の片側に長手方向に沿った長溝が形成され、一の面との対向面の反対側に長手方向に沿った長溝が形成され、各長溝の片側に互い違いに２枚一対の案内板を設けることによって形成したことを特徴とする。
【００１３】
この発明の光固定減衰器では、請求項１記載の効果に加えて、ケーシングにプラグを差込む際に、プラグ上面のガイド突条が上下の光固定減衰器によって略中央部に形成される長溝に挿入されつつ両側に対設された案内板により案内されるため、プラグを円滑に装着することができる。
【００１４】
請求項４の発明は、請求項２または３記載の光固定減衰器であって、前記案内板は、アダプタ結合部の上面に形成されているガイド突条及びプラグの上面に形成されているガイド突条の高さよりも幾分大きな厚さとなっていることを特徴とする。
【００１５】
この発明の光固定減衰器では、案内板の厚さをこのように設定することにより、隣接してアダプタに取り付けられる光固定減衰器のアダプタ結合部上面のガイド突条がケーシングと干渉することがない。また、ケーシングにプラグを差し込む際に、プラグ上面のガイド突条が長溝に挿入されつつ両側に対設された案内板により案内されるため、プラグを円滑に装着することができる。
【００１６】
【発明の実施の形態】
以下、本発明の実施の形態について図面を参照して詳細に説明する。
図１〜図８は本発明の一実施の形態を示し、図１は光固定減衰器の斜視図、図２は図１におけるＡ−Ａ線断面図、図３はアダプタへの装着を示す斜視図、図４はアダプタと寸法関係を示す端面図である。
【００１７】
この実施の形態の光固定減衰器１は、図３及び図４（ａ）に示す多芯アダプタ２０に装着するためのものである。多芯アダプタ２０（以下、アダプタ２０）は複数（８個）の差込口２１が縦列方向に沿って形成されている。差込口２１は隣接する２つが一組となるものであり、各組の境界部分には、仕切板２３が設けられている。また、組となっている差込口２１の間には、細板状の離隔板２５が両側に設けられている。
【００１８】
光固定減衰器１は、図１に示すように、一端側のアダプタ結合部２と他端側のプラグ結合部３とが直線的に連設されることにより形成されている。
【００１９】
アダプタ結合部２は、アダプタ２０（図３参照）の差込口２１に差し込まれるものであり、その上面には差込時における案内を行うガイド突条４が長さ方向に沿って形成されている。これに対しアダプタ２０における組となっている差込口２１には、ガイド突条４を案内するガイド溝２２が形成されている。なお、組となっている差込口２１に設けた離隔板２５の間も、ガイド突条４を案内するように作用する。
【００２０】
プラグ結合部３はプラグ３０（図３参照）が差し込まれるものであり、そのためのケーシング５が設けられている。ケーシング５は略四角筒状の断面となるように成形されており、その基部（図１及び図２における右端部）がプラグ３０の挿入口５ａとなっている。プラグ結合部３の内部には、内部ハウジング６が挿入口５ａ側から嵌合される。
【００２１】
内部ハウジング６は、平面略コ字形状に形成されると共に、長手方向に貫通するフェルール挿入孔７を有しており、このフェルール挿入孔７内に、割スリーブ８を介在した状態でフェルール９が挿入される。そして、内部ハウジング６は、フェルール９が挿入された状態でケーシング５内に挿入されて嵌合する。これにより、フェルール９がアダプタ結合部２の先端から突出した状態となる。なお、内部ハウジング６には、プラグ３０に係合して保持するための２個一対の係止爪１０が対向するように形成されるものである。
【００２２】
この実施の形態において、略四角筒断面形状のケーシング５は、両側における一の面（上面）が削除されることにより、全面開口部１１となっている。なお、全面開口部１１は内部ハウジング６の上面と面一に形成されている。このように上面を全面開口部１１とすることにより、その分、ケーシング５の厚さを小さくすることができる。
【００２３】
また、全面開口部１１と対向したケーシング５の面（下面）には、長溝１２と、案内板１３，１３とが形成されている。長溝１２はケーシング５の下面における略中央部に長手方向に沿って形成され、案内板１３，１３はこの長溝１２の両側に位置するように形成されている。案内板１３，１３はプラグ３０をケーシングに挿入する際に、プラグ３０の上面に形成されているガイド突条３１を案内するものであり、これにより、プラグ３０をケーシング５内に円滑かつ確実に挿入することが可能となっている。
【００２４】
案内板１３，１３は、アダプタ結合部２の上面に形成されているガイド突条４及びプラグ３０の上面に形成されているガイド突条３１（図３参照）の高さよりも幾分大きな厚さとなるように形成される。案内板１３，１３をこのような厚さとすることにより、図４（ｂ）で示すように、アダプタ２０に隣接して取り付けられる次の光固定減衰器１のアダプタ結合部２上面のガイド突条４が長溝１２内に入り込むことができる。このため、隣接して光固定減衰器１を取り付ける際に、その光固定減衰器１のアダプタ結合部２の障害となることがなくなる。
【００２５】
また、案内板１３，１３をこのような厚さとすることにより、挿入口５ａからケーシング５にプラグ３０を差し込む際に、プラグ３０上面のガイド突条３１が長溝１２に挿入されるため、案内板１３，１３によるプラグ３０の案内を確実に行うことができる。
【００２６】
さらに、ケーシング５の上面が全面開口部１１となることにより、ケーシング５の厚さが小さくなっており、これにより、図４に示すように、光固定減衰器１を隣接してアダプタ２０に取り付ける際に、そのフェルール９（フェルール挿入孔７）の間隔Ｍを、アダプタ２０の隣接しているフェルール挿入孔２６の間隔ｍと一致させることができる（ｍ＝Ｍ）。このため、このため、アダプタ２０の全ての差込口２１に対して、光固定減衰器１を取り付けることが可能となる。
以上のように構成されることで、ケーシング５の上下両面に、光固定減衰器１及びプラグ３０上面のガイド突条４、３１の逃げ部１８が形成される。
【００２７】
本発明は、以上の実施の形態に限定されることなく、種々変更が可能である。例えば、図５の光固定減衰器１に示すように、ケーシング５の下面を全面開口部１１とし、この下面と対向した上面に長溝１２及び案内板１３，１３を形成することで逃げ部１８を設けても良い。
【００２８】
また、図６に示すように、ケーシング５における左右の内壁の上部に、段状の凸部１７，１７を形成すると共に、ケーシング５に嵌合する内部ハウジング６の対向部位を凸部１７，１７に嵌り込む段付き形状とすることも可能である。この場合には、ケーシング５の強度を向上させることができるメリットがある。
【００２９】
さらに、図７に示すように、ケーシング５の上面の片側に長手方向に沿った長溝１２を、下面の前記とは反対側に長手方向に沿った長溝１２′を形成し、各長溝１２、１２′の片側に互い違いに２枚一対の案内板１３、１３を形成することで逃げ部１８を設けても良い。
【００３０】
この実施形態では図８に示したように、上下の光固定減衰器１、１の両案内板１３、１３間に逃げ部１８が形成され、この逃げ部１８にプラグ３０の上面のガイド突条３１が案内されるため、プラグ３０は光固定減衰器１へ円滑かつ確実に装着することができる。なお、この場合でも、フェルール９（フェルール挿入孔７）の間隔Ｍ′は、既述の実施形態の同間隔Ｍと変わりはない。
【００３１】
【発明の効果】
本発明は、以上詳述したように構成されるものであるから、次の効果を有するものである。
請求項１の発明によれば、プラグ結合部のケーシングの上下両面に逃げ部を設けたことによって隣接する光固定減衰器のアダプタ結合部上面のガイド突条及びプラグ上面のガイド突条が他のケーシングと干渉することがないため、光固定減衰器をアダプタの全ての差込口に円滑かつ確実に装着することができるものである。
【００３２】
また、請求項２の発明によれば、ケーシングの厚さが小さくなっていて軽量化が図れると共に、形成された長溝によって、隣接する光固定減衰器のアダプタ結合部の障害となることがないため、多芯アダプタの全ての差込口に対して、光固定減衰器を円滑かつ確実に装着することができる。プラグの装着も同様である。
【００３３】
さらに、請求項３の発明によれば、請求項１記載の効果に加えて、プラグ上面のガイド突条が隣接する光固定減衰器のプラグ結合部の対設する２枚一対の案内板により案内されるため、プラグを円滑にかつ確実に装着することができる。
【００３４】
さらに、請求項４の発明によれば、請求項１、２の発明の効果に加えて、隣接する光固定減衰器のアダプタ結合部上面のガイド突条がケーシングと干渉することがないため、光固定減衰器を円滑かつ確実にアダプタに装着することができる。プラグ装着も同様である。
【図面の簡単な説明】
【図１】本発明の一実施の形態の光固定減衰器を示す斜視図である。
【図２】図１のＡ−Ａ線断面図である。
【図３】アダプタへの取り付けを示す斜視図である。
【図４】同上のアダプタ及び光固定減衰器の寸法関係を示す端面図である。
【図５】光固定減衰器の変形々態を示す斜視図である。
【図６】光固定減衰器の別の変形々態を示す斜視図である。
【図７】光固定減衰器のさらに別の変形形態を示す斜視図である。
【図８】同上の光固定減衰器の寸法関係を示す端面図である。
【図９】従来の光固定減衰器の斜視図である。
【図１０】従来の光固定減衰器とアダプタとの寸法関係を示す端面図である。
【符号の説明】
１    光固定減衰器
２    アダプタ結合部
３    プラグ結合部
４    ガイド突条
５    ケーシング
１１  全面開口部
１２  長溝
１３  案内板
１８  逃げ部
２０  アダプタ
２１  差込口
３０  プラグ
３１  ガイド突条
【図１】
0003964706.tif 000002
【図２】
0003964706.tif 000003
【図３】
0003964706.tif 000004
【図４】
0003964706.tif 000005
【図５】
0003964706.tif 000006
【図６】
0003964706.tif 000007
【図７】
0003964706.tif 000008
【図８】
0003964706.tif 000009
【図９】
0003964706.tif 000010
【図１０】
0003964706.tif 000011